(57)【要約】      （修正有）【課題】利便性を向上させた出走表を生成可能な出走表生成装置、出走表生成システム及び出走表生成方法を提供する。【解決手段】出走表生成システム１は、情報処理装置１０と、端末装置２０と、印刷装置３０とを備える。情報処理装置１０と、端末装置２０とは、有線又は無線により、互いに情報通信可能に接続されている。また、端末装置２０と、印刷装置３０とは、有線又は無線により、互いに情報通信可能に接続されている。情報処理装置１０と端末装置２０とは、必ずしも互いに情報通信可能に接続されていなくてもよい。【選択図】図１
2020107119.tif 000002
【特許請求の範囲】
【請求項１】
レースの番組に関する情報を記憶する記憶部と、
前記番組のうち、所定の条件を満たすレースの番組を抽出し、前記抽出した番組を記載した出走表を生成する制御部と、
を備える、出走表生成装置。
【請求項２】
前記所定の条件は、レースの時刻に関する条件を含み、
前記制御部は、現在時刻以降のレースの番組を抽出する、
請求項１に記載の出走表生成装置。
【請求項３】
使用者による条件の入力を受け付ける入力部をさらに含み、
前記所定の条件は、前記入力部において入力された条件を含む、
請求項１又は２に記載の出走表生成装置。
【請求項４】
前記記憶部は、記憶した前記情報が変更されている場合、変更後の情報で更新する、請求項１−３のいずれか一項に記載の出走表生成装置。
【請求項５】
前記記憶部は、前記レースの番組に関する情報を、レースの開催場ごとに分類されたファイルとして記憶する、請求項１−４のいずれか一項に記載の出走表生成装置。
【請求項６】
前記レースは、ボートレース、競輪、競馬及びオートレースの少なくともいずれかを含む、請求項１−５のいずれか一項に記載の出走表生成装置。
【請求項７】
レースの番組に関する情報を記憶する記憶部と、前記番組のうち、所定の条件を満たすレースの番組を抽出し、前記抽出した番組を記載した出走表を生成する制御部と、を備える、出走表生成装置と、
前記出走表生成装置により生成された出走表を印刷する印刷装置と、
を含む、出走表生成システム。
【請求項８】
レースの番組に関する情報を記憶する記憶部を備える出走表生成装置により実行される出走表生成方法であって、
前記記憶部に記憶された前記番組のうち、所定の条件を満たすレースの番組を抽出する抽出ステップと、
前記抽出ステップで抽出された番組を記載した出走表を生成する生成ステップと、
を含む、出走表生成方法。
【発明の詳細な説明】
【技術分野】
【０００１】
本発明は、公営競技（ボートレース、競馬、競輪及びオートレース）等のレースの番組の出走表を生成する、出走表生成装置、出走表生成システム及び出走表生成方法に関する。
【背景技術】
【０００２】
ボートレース、競馬、競輪及びオートレース等の公営競技では、レースの番組が記載された出走表が発行される。利用者は、例えば特許文献１に記載されているように、紙等に印刷された出走表に記載された情報を参照して、投票用紙に記入を行う。
【先行技術文献】
【特許文献】
【０００３】
【特許文献１】特開２０１８−１４７２１３号公報
【発明の概要】
【発明が解決しようとする課題】
【０００４】
従来、出走表は、レースの開催日ごと且つレースの開催場ごとに、発行されている。つまり、ある特定の日にある特定の会場で開催されるレースの番組をまとめたものが、１枚の出走表として発行されている。従って、例えば同日に開催されるレースであっても、開催場ごとに、別々の用紙に印刷された出走表が発行される。
【０００５】
しかしながら、このように開催場ごとに別々に出走表が発行される場合、出走表の管理が煩雑になる。
【０００６】
例えば、複数の開催場のレースの投票を受け付ける、いわゆる併売場では、投票を受け付ける開催場ごとに異なる出走表を用意したり設置したりしなければならない。そのため、準備や手配等の管理が煩雑となり、出走表を設置する場所も広く確保しなければならない。
【０００７】
また、投票を行う利用者にとっては、レースの情報が開催場ごとに異なる出走表に記載されているため、複数の開催場のレースについて投票しようとする場合には、複数の出走表を閲覧したり持ち歩いたりする必要があるが、このように複数の出走表を閲覧したり持ち歩いたりすることは、利用者にとって煩雑である。また、開催場ごとに各番組の開催時刻や投票の締切り時刻等がそれぞれ異なるため、これらを把握することは困難である。
【０００８】
上記のような問題点に鑑みてなされた本発明の目的は、利便性を向上させた出走表を生成可能な出走表生成装置、出走表生成システム及び出走表生成方法を提供することにある。
【課題を解決するための手段】
【０００９】
上述した課題を解決すべく、本発明の一実施形態に係る出走表生成装置は、
レースの番組に関する情報を記憶する記憶部と、
前記番組のうち、所定の条件を満たすレースの番組を抽出し、前記抽出した番組を記載した出走表を生成する制御部と、
を備える。
【００１０】
また、前記所定の条件は、レースの時刻に関する条件を含み、
前記制御部は、現在時刻以降のレースの番組を抽出してよい。
【００１１】
また、使用者による条件の入力を受け付ける入力部をさらに含み、
前記所定の条件は、前記入力部において入力された条件を含んでよい。
【００１２】
また、前記記憶部は、記憶した前記情報が変更されている場合、変更後の情報で更新してよい。
【００１３】
また、前記記憶部は、前記レースの番組に関する情報を、レースの開催場ごとに分類されたファイルとして記憶してよい。
【００１４】
また、前記レースは、ボートレース、競輪、競馬及びオートレースの少なくともいずれかを含んでよい。
【００１５】
また、上述した課題を解決すべく、本発明の一実施形態に係る出走表生成システムは、
レースの番組に関する情報を記憶する記憶部と、前記番組のうち、所定の条件を満たすレースの番組を抽出し、前記抽出した番組を記載した出走表を生成する制御部と、を備える、出走表生成装置と、
前記出走表生成装置により生成された出走表を印刷する印刷装置と、
を含む。
【００１６】
また、上述した課題を解決すべく、本発明の一実施形態に係る出走表生成方法は、
レースの番組に関する情報を記憶する記憶部を備える出走表生成装置により実行される出走表生成方法であって、
前記記憶部に記憶された前記番組のうち、所定の条件を満たすレースの番組を抽出する抽出ステップと、
前記抽出ステップで抽出された番組を記載した出走表を生成する生成ステップと、
を含む。
【発明の効果】
【００１７】
上記のように構成された本発明に係る出走表生成装置、出走表生成システム及び出走表生成方法によれば、利便性を向上させた出走表を生成可能である。
【図面の簡単な説明】
【００１８】
【図１】本発明の一実施形態に係る出走表生成システムの概略構成を示す機能ブロック図である。
【図２】従来の出走表の一例を示す図である。
【図３】図１の端末装置の制御部が実行する処理の一例を示すフローチャートである。
【図４】抽出する番組の条件を入力させるための画面の一例を示す図である。
【図５】本実施形態において印刷される出走表の一例を示す図である。
【図６】図１の出走表生成システムによる処理の一例を示すシーケンス図である。
【発明を実施するための形態】
【００１９】
以下、本発明の一実施形態について、図面を参照して詳細に説明する。
【００２０】
図１は、本発明の一実施形態に係る出走表生成システムの概略構成を示す機能ブロック図である。出走表生成システム１は、ボートレース、競馬、競輪及びオートレース等の公営競技のレースの番組を記載した出走表を生成し、出力する。出走表生成システム１では、例えば、出走表は、印刷されて紙媒体として出力される。本実施形態では、一例として、ボートレースの出走表を生成するとして、以下説明する。
【００２１】
図１に示すように、出走表生成システム１は、情報処理装置１０と、端末装置２０と、印刷装置３０とを備える。情報処理装置１０と、端末装置２０とは、有線又は無線により、互いに情報通信可能に接続されている。また、端末装置２０と、印刷装置３０とは、有線又は無線により、互いに情報通信可能に接続されている。なお、情報処理装置１０と端末装置２０とは、必ずしも互いに情報通信可能に接続されていなくてもよい。例えば、情報処理装置１０に格納されたデータは、ＵＳＢ（Universal Serial Bus）メモリ等の記憶媒体を介して、端末装置２０に移動されてもよい。本実施形態では、情報処理装置１０と端末装置２０とが互いに情報通信可能に接続されているとして、以下説明する。
【００２２】
図１では、端末装置２０が１つのみ記載されているが、出走表生成システム１は、複数の端末装置２０を備えていてよい。この場合、情報処理装置１０は、これら複数の端末装置２０の全てと、情報通信可能に接続されていてよい。また、出走表生成システム１は、複数の印刷装置３０を備えていてよい。１台の印刷装置３０は、１台の端末装置２０に対応付けられて、当該１台の端末装置２０とのみ情報通信可能に接続されていてもよく、複数の端末装置２０により共有されて、複数の端末装置２０と情報通信可能に接続されていてもよい。
【００２３】
情報処理装置１０は、レースの番組に関する情報（以下、単に「番組情報」ともいう）を作成する。例えば、情報処理装置１０は、レースの番組を、レースの開催場ごとに分類（整理）することにより、番組情報を作成する。情報処理装置１０は、レースの番組を、さらに、レースが開催される日にちごとに分類することにより、番組情報を作成してよい。情報処理装置１０は、例えば、出走表の提供者により管理及び使用される。
【００２４】
情報処理装置１０は、例えばコンピュータ装置等により構成されている。情報処理装置１０は、機能ブロックとして、例えば図１に一例として示すように、制御部１１と、記憶部１２と、通信部１３とを備える。
【００２５】
制御部１１は、情報処理装置１０が備える各機能ブロックをはじめとして、情報処理装置１０の全体を制御及び管理するプロセッサである。制御部１１は、制御手順を規定したプログラムを実行するＣＰＵ（Central Processing Unit）等のプロセッサで構成される。プロセッサにより実行されるプログラムは、例えば記憶部１２又は外部の記憶媒体等に格納される。
【００２６】
制御部１１は、番組情報を作成する。制御部１１は、例えば、記憶部１２に予め記憶された、番組情報を作成するための元となるデータ（以下、単に「元データ」ともいう）を用いて、レースの番組をレースの開催場ごとに分類した番組情報を作成する。
【００２７】
記憶部１２は、多様なメモリデバイスを有し、用途に応じてそれぞれ各種情報、例えば、制御部１１の動作に必要なデータなどを記憶する。例えば、記憶部１２は、半導体メモリ又は磁気メモリ等で構成されることができる。記憶部１２は、各種情報や情報処理装置１０を動作させるためのプログラム等を記憶する。また、記憶部１２は、ワークメモリとして機能するＲＡＭ（Random Access Memory）等のデバイスも有する。
【００２８】
記憶部１２は、番組情報の元データを記憶する。元データは、例えば、外部の装置からダウンロードしたり、ＵＳＢメモリ等の記憶媒体を介して取得したりすることができる。元データは、例えば、レースの開催を管理する団体又は組織等がコンピュータ等で作成することができる。元データは、例えば、レースの開催場が企画したレースの情報を集約して作成されてもよい。また、作成した元データの内容に変更が発生した場合には、変更された内容で、元データを更新してよい。記憶部１２は、例えば、元データを、ＣＳＶ（Comma-Separated Values）ファイルとして記憶する。元データには、開催が予定されている全ての会場の全てのレースの番組に関する情報が含まれていてよい。
【００２９】
制御部１１は、記憶部１２にＣＳＶファイルとして記憶された元データから、レース番組をレースの開催場ごとに分類することにより、番組情報を作成する。制御部１１は、レースの番組を、さらに、レースの開催日ごとに分類することにより、番組情報を作成してよい。本実施形態では、制御部１１が、レース番組を、レースの開催場ごと及びレースの開催日ごとに分類するとして、以下説明する。この場合、レースの開催場ごと及びレースの開催日ごとに分類されたファイルが、番組情報として作成される。作成された番組情報は、例えば記憶部１２に記憶されてよい。
【００３０】
従来は、このようにして作成された、開催場及び日にちごとの番組情報を、輪転印刷機等で出走表として印刷し、印刷された出走表を利用者に配布することにより提供してきた。
【００３１】
図２は、従来の出走表の一例を示す図である。図２に示すように、出走表１００には、特定の開催場の特定の日にちにおけるレースの番組に関する情報が、番組ごとに掲載されている。また、出走表１００には、各レースにおける投票の締切予定時刻が掲載されている。図２に示すように、出走表１００には、例えば、番号及び艇色情報１０１、選手情報１０２、勝率情報１０３、モーター情報１０４、ボート情報１０５、成績情報１０６、及び早見情報１０７が掲載される。
【００３２】
番号及び艇色情報１０１は、各番組において選手に割り当てられた番号と、ユニフォームの色とに関する情報である。
【００３３】
選手情報１０２は、選手に関する情報である。選手情報１０２は、例えば、選手の級別（ランク）、登録番号、選手名、年齢、体重、及び所属等を含んでよい。登録番号は、選手を区別するために、各選手に一意に割り当てられた番号である。所属は、選手が所属する支部及び／又は出身地等である。選手情報１０２は、さらに選手の性別等を含んでもよい。
【００３４】
勝率情報１０３は、選手の過去の勝率の情報である。勝率は、単勝、２連対率及び３連対率の少なくともいずれかが含まれていてもよい。２連対率は、レースで２着までに入った回数を出走回数で割って算出した値である。３連対率は、レースで３着までに入った回数を出走回数で割って算出した値である。
【００３５】
モーター情報１０４は、選手がレースで使用するモーターに関する情報である。モーター情報１０４は、例えば、モーターに一意に割り当てられた番号、及びモーターが使用されたレースでの過去の勝率を含んでよい。過去の勝率には、単勝、２連対率及び３連対率の少なくともいずれかが含まれていてもよい。
【００３６】
ボート情報１０５は、選手がレースで使用するボートに関する情報である。ボート情報１０５は、例えば、ボートに一意に割り当てられた番号、及びボートが使用されたレースでの過去の勝率を含んでよい。過去の勝率には、単勝、２連対率及び３連対率の少なくともいずれかが含まれていてもよい。
【００３７】
成績情報１０６は、各選手の直近のレースの成績に関する情報である。成績情報１０６は、例えば、着順、コース、及びスタートのタイミング等を含んでよい。
【００３８】
早見情報１０７は、各選手が同日中に出場する他のレースの番号に関する情報である。
【００３９】
なお、出走表には、レースのタイトルが記載されている。従って、レースのタイトルも、番組情報に含まれる。また、レースに関する他の情報も、番組情報に含まれていてよい。レースに関する他の情報は、例えば、進入固定のレース等である。進入固定とは、ボートがスタートするコースが決められているレースの方式である。
【００４０】
従来は、図２に示すような出走表を印刷して、利用者に配布していた。しかしながら、併売場では、複数の出走表が必要となるため、その管理が煩雑となる。また、利用者も、異なる開催場のレースについて投票する場合には、複数の出走表を見る必要がある。このように、従来の出走表は、必ずしも利便性が高いものではなかった。また、出走表は予め印刷されたものであるため、例えば、利用者が出走表を閲覧する時刻によっては、すでに終了したレースの情報も掲載されている場合がある。このように終了したレースの情報は、利用者にとっては不要な情報である。
【００４１】
再び図１を参照すると、情報処理装置１０の通信部１３は、外部の装置と有線又は無線通信をおこなうことにより、各種情報の送受信をおこなう。例えば、通信部１３は、端末装置２０に対して、作成した番組情報を送信する。
【００４２】
端末装置２０は、情報処理装置１０から受信した番組情報を用いて、出走表を生成する。端末装置２０は、出走表生成装置として機能する。端末装置２０は、番組情報に含まれる番組のうち、所定の条件を満たすレースの番組を抽出し、抽出した番組を記載した出走表を生成する。端末装置２０は、出走表の提供者により提供される。端末装置２０は、例えば、ボートレース場や競艇場外発売所等に配置される。公営競技の利用者は、提供された端末装置２０を操作して、希望する条件を満たすレースの番組を記載した出走表を出力させることができる。
【００４３】
端末装置２０は、例えばコンピュータ装置等により構成されている。端末装置２０は、機能ブロックとして、例えば図１に一例として示すように、制御部２１と、記憶部２２と、通信部２３と、表示部２４と、入力部２５とを備える。
【００４４】
制御部２１は、端末装置２０が備える各機能ブロックをはじめとして、端末装置２０の全体を制御及び管理するプロセッサである。制御部２１は、制御手順を規定したプログラムを実行するＣＰＵ等のプロセッサで構成される。プロセッサにより実行されるプログラムは、例えば記憶部２２又は外部の記憶媒体等に格納される。
【００４５】
制御部２１は、情報処理装置１０から受信した番組情報のうち、所定の条件を満たすレースの番組を抽出する。そして、制御部２１は、抽出した番組を記載した出走表をデータとして生成する。所定の条件は、レースに関連する多様な条件を設定することができる。本実施形態では、所定の条件として、レースの時刻に関する条件（以下、単に「時刻条件」ともいう）、開催場に関する条件（以下、単に「開催場条件」ともいう）、及び、その他の条件が用いられるとして、以下説明する。ここで、本実施形態では、時刻条件は、利用者の入力によらず決定される条件であり、開催場条件及びその他の条件は、利用者の操作入力によって決定される条件である。例えば、開催場条件は、利用者が必ず入力しなければならない必須の条件であるとし、その他の条件は、必ずしも入力しなくてもよい任意の条件であるとしてよい。なお、所定の条件は、本明細書で記載する全ての例を含んでいなくてもよく、本明細書で記載する例以外の条件をさらに含んでもよい。制御部２１による処理の詳細については、後述する。
【００４６】
記憶部２２は、多様なメモリデバイスを有し、用途に応じてそれぞれ各種情報、例えば、制御部２１の動作に必要なデータなどを記憶する。例えば、記憶部２２は、半導体メモリ又は磁気メモリ等で構成されることができる。記憶部２２は、各種情報や端末装置２０を動作させるためのプログラム等を記憶する。また、記憶部２２は、ワークメモリとして機能するＲＡＭ等のデバイスも有する。
【００４７】
記憶部２２は、情報処理装置１０から受信した番組情報を記憶する。上述のように、番組情報は、レースの開催場ごと及びレースの開催日ごとに分類されたファイルである。また、記憶部２２は、制御部２１により生成された出走表を、データとして記憶してよい。
【００４８】
通信部２３は、外部の装置と有線又は無線通信をおこなうことにより、各種情報の送受信をおこなう。例えば、通信部２３は、情報処理装置１０から番組情報を受信する。また、例えば、通信部２３は、印刷装置３０に対して、生成した出走表のデータを送信する。
【００４９】
表示部２４は、ＬＥＤ（Light Emitting Diode）ディスプレイ、液晶ディスプレイ（ＬＣＤ：Liquid Crystal Display）又は有機ＥＬディスプレイ（ＯＥＬＤ：Organic Electroluminescence Display）等の周知のディスプレイにより構成される表示デバイスである。
【００５０】
表示部２４は、制御部２１の制御に基づき、各種情報を表示する。例えば、表示部２４は、利用者に、抽出する番組の条件を入力させる画面を表示する。また、例えば、表示部２４は、出走表の生成及び／又は印刷を実行させる入力ボタンを表示する。この場合、表示部２４と、入力部２５とは、一体として構成される。
【００５１】
入力部２５は、例えば利用者からの操作入力を受け付けるものである。入力部２５は、例えば、操作ボタン（操作キー）により構成される。入力部２５をタッチスクリーンにより構成し、表示デバイスの一部にユーザからの操作入力を受け付ける入力領域を表示して、ユーザによるタッチ操作入力を受け付けてもよい。本実施形態では、入力部２５は、タッチスクリーンにより構成され、タッチ操作入力を受け付けるとして、以下説明する。
【００５２】
印刷装置３０は、端末装置２０から受信した出走表のデータに基づき、出生表を紙媒体に印刷する。印刷装置３０は、例えば、端末装置２０の隣等、端末装置２０の近傍に配置される。端末装置２０の近傍とは、端末装置２０に対して操作入力をおこなった利用者が、印刷装置３０により出力された印刷物を取りに行くことが可能な範囲であってよい。
【００５３】
印刷装置３０は、例えばプリンタ等により構成されている。印刷装置３０は、機能ブロックとして、例えば図１に一例として示すように、制御部３１と、記憶部３２と、通信部３３と、印刷処理部３４とを備える。
【００５４】
制御部３１は、印刷装置３０が備える各機能ブロックをはじめとして、印刷装置３０の全体を制御及び管理するプロセッサである。制御部３１は、制御手順を規定したプログラムを実行するＣＰＵ等のプロセッサで構成される。プロセッサにより実行されるプログラムは、例えば記憶部３２又は外部の記憶媒体等に格納される。
【００５５】
記憶部３２は、多様なメモリデバイスを有し、用途に応じてそれぞれ各種情報、例えば、制御部３１の動作に必要なデータなどを記憶する。例えば、記憶部３２は、半導体メモリ又は磁気メモリ等で構成されることができる。記憶部３２は、各種情報や印刷装置３０を動作させるためのプログラム等を記憶する。また、記憶部３２は、ワークメモリとして機能するＲＡＭ等のデバイスも有する。
【００５６】
通信部３３は、外部の装置と有線又は無線通信をおこなうことにより、各種情報の送受信をおこなう。例えば、通信部３３は、端末装置２０から出走表のデータを受信する。
【００５７】
印刷処理部３４は、出走表のデータに基づき、出走表を印刷する。印刷処理部３４は、印刷処理を実行するための各種機構を含んで構成されている。
【００５８】
印刷装置３０は、端末装置２０から出走表のデータを受信すると、出走表を印刷する。
【００５９】
次に、制御部２１が実行する処理の詳細について、図３を参照しながら説明する。図３は、端末装置２０の制御部２１が実行する処理の一例を示すフローチャートである。図３に示すフローの開始時点において、記憶部２２には、予め情報処理装置１０から受信した番組情報が記憶されているとする。制御部２１は、例えば、端末装置２０の入力部２５に対する、出走表の生成処理を実行させるための所定の操作入力（例えば、タッチスクリーンへのタッチ等）を検出したときに、図３に示すフローを開始してよい。
【００６０】
まず、制御部２１は、表示部２４に、抽出する番組の条件を入力させるための画面を表示させる（ステップＳ１）。
【００６１】
図４は、抽出する番組の条件を入力させるための画面の一例を示す図である。図４に示すように、表示部２４には、必須の条件である開催場条件を選択させるための画面が表示される。利用者は、画面の表示を参照しながら、レースの番組の情報の閲覧を希望する開催場を選択するための操作入力をおこなう。例えば、利用者は、表示部２４に表示された複数の開催場のうち、レースの番組の情報の閲覧を希望する開催場を、タッチスクリーン上に表示された選択ボタン４１をタッチすることにより、１つ以上選択する。このようにして、開催場条件を入力する。なお、抽出する番組の条件を入力させるための画面には、表示された開催場の全てを一括して選択する、全選択のボタンが表示されていてもよい。
【００６２】
図４に示すように、表示部２４には、例えば、任意の条件であるその他の条件を入力させるための画面を表示させるための表示ボタン４２が表示される。利用者は、その他の条件の入力を希望する場合、この表示ボタン４２をタッチする。制御部２１は、表示ボタン４２のタッチを検出すると、その他の条件を入力させるための画面を表示する。
【００６３】
その他の条件は、制御部２１が、記憶部２２に記憶された番組情報から検索可能な任意の条件を含んでよい。ここで、その他の条件の一例について説明する。ただし、その他の条件は、ここで説明するものに限られない。
【００６４】
例えば、その他の条件は、選手の級別に関する条件であってよい。具体的には、利用者は、特定の級別の選手が出場する又は出場しないレースの番組を、その他の条件として入力することができる。例えば、利用者は、級別がＡ１の選手が１人含まれるレース、又は級別がＡ１の選手が１人以上含まれるレース、等のように、条件を入力することができる。
【００６５】
例えば、その他の条件は、選手の性別に関する条件であってよい。例えば、利用者は、出場選手に女性が１人以上含まれるレース、又は出場選手が全て女性のレース、等のように、条件を入力することができる。
【００６６】
例えば、その他の条件は、レースのタイトルに関する条件であってよい。例えば、利用者は、「ドリーム」、「準優」又は「優勝」等の、特定の文字列をタイトルに含むレースを、条件として入力することができる。
【００６７】
例えば、その他の条件は、レースに関する他の情報に関する条件であってよい。例えば、利用者は、進入固定のレースのみを抽出させる条件として入力することができる。
【００６８】
再び図３を参照すると、制御部２１は、利用者による条件の入力を受け付ける（ステップＳ２）。
【００６９】
このように条件を入力することにより、利用者は、関心がある開催場でおこなわれる、関心があるレースを、端末装置２０に抽出させることができる。
【００７０】
利用者は、開催場条件の入力、又は、開催場条件とその他の条件との入力が完了すると、条件の入力を終了するための操作入力をおこなう。例えば、利用者は、図４に示す決定ボタン４３をタッチすることにより、条件の入力を終了するための操作入力をおこなう。
【００７１】
制御部２１は、利用者による、条件の入力を終了するための操作入力を受け付ける（ステップＳ３）。
【００７２】
制御部２１は、条件の入力を終了するための操作入力を受け付けると、条件を満たすレースの番組を抽出する処理をおこなう。このとき、制御部２１は、入力を受け付けた開催場条件及びその他の条件と、利用者からの入力によらず現在時刻により定まる時刻条件との双方の条件を満たすレースの番組を抽出する。
【００７３】
まず、制御部２１は、番組情報として記憶されたレースの番組のうち、入力された条件を満たすレースの番組を抽出する（ステップＳ４）。つまり、制御部２１は、選択された開催場で開催されるレースの番組を抽出する。また、その他の条件が入力されている場合には、選択された開催場で開催されるレースのうち、さらに、入力されたその他の条件を満たすレースの番組を抽出する。
【００７４】
さらに、制御部２１は、ステップＳ４で抽出されたレースの番組のうち、利用者の入力によらない時刻情報を満たすレースの番組を抽出する。ここで、制御部２１は、時刻条件として、具体的には、現在時刻以降のレースの番組を抽出する。現在時刻以降のレースは、投票の締切予定時刻が現在時刻以降であるレースである。なお、変形例として、現在時刻以降のレースは、レースの開始時刻が現在時刻以降であるレースであってもよい。
【００７５】
具体的には、制御部２１は、例えば、リアルタイムクロック機能等により、現在時刻を取得する（ステップＳ５）。
【００７６】
そして、制御部２１は、ステップＳ４で抽出されたレースの番組のうち、投票の締切予定時刻が現在時刻以降であるレースの番組を抽出する（ステップＳ６）。
【００７７】
制御部２１は、ステップＳ６で抽出したレースの番組を、投票の締切予定時刻が早い順に並べ替える（ステップＳ７）。このようにして、出走表が生成される。
【００７８】
そして、制御部２１は、生成した出走表のデータを、印刷装置３０に送信する（ステップＳ８）。
【００７９】
印刷装置３０は、端末装置２０から出走表のデータを受信すると、出走表を印刷する。利用者は、印刷された出走表を見て、投票を行うことができる。
【００８０】
図５は、本実施形態において印刷される出走表の一例を示す図である。図５に示すように、本実施形態において印刷される出走表では、利用者により選択された開催場で開催されるレースが、投票の締切予定時刻が早い順に記載されている。図５に示す出走表では、図２に示す出走表と異なり、開催場に関する情報２０１が記載されている。図５の出走表に記載されるレースは、投票の締切予定時刻が現在時刻以降のレースであるため、未だ利用者が投票可能なレースである。また、図５の出走表に記載されるレースは、利用者により入力された条件を満たすレースであるため、利用者が少なくとも関心を有すると考えられるレースである。このように、本実施形態に係る出走表生成システム１では、利用者が投票可能であり、利用者が関心を有するレースの番組が、集約されて掲載されているため、利用者にとって有用性が高い。また、従来と比較して、不要な紙の印刷がおこなわれなくなる。このようにして、出走表生成システム１によれば、利便性が高まる。
【００８１】
図６は、出走表生成システム１による処理の一例を示すシーケンス図である。
【００８２】
まず、情報処理装置１０は、元データを取得する（ステップＳ１０）。情報処理装置１０は、元データを用いて、番組情報を作成する（ステップＳ１１）。そして、情報処理装置１０は、番組情報を端末装置２０に送信する（ステップＳ１２）。
【００８３】
端末装置２０は、情報処理装置１０から番組情報を受信すると、番組情報を記憶部２２に記憶する（ステップＳ１３）。次に、端末装置２０は、利用者による、抽出する番組の条件の入力を受け付ける（ステップＳ１４）。ステップＳ１４は、具体的には、図３のステップＳ１からステップＳ３により実行される。そして、端末装置２０は、出走表を生成する（ステップＳ１５）。ステップＳ１５は、具体的には、図３のステップＳ４からステップＳ７により実行される。端末装置２０は、生成した出走表のデータを、印刷装置３０に送信する（ステップＳ１６）。
【００８４】
印刷装置３０は、端末装置２０から出走表のデータを受信すると、出走表を紙媒体に印刷する（ステップＳ１７）。
【００８５】
以上、本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００８６】
例えば、各構成部、各ステップ等に含まれる機能等は論理的に矛盾しないように再配置可能であり、複数の構成部やステップ等を１つに組み合わせたり、或いは分割したりすることが可能である。
【００８７】
具体的には、例えば、その他の条件は上述した例に限られない。例えば、その他の条件として、投票の締切予定時刻を指定することができる。例えば、利用者が、投票の締切予定時刻を同日の１６時以降と指定した場合、同日の１６時以降が投票の締切予定時刻であるレースの番組が抽出される。
【００８８】
また、上記実施形態では、時刻条件が、利用者の入力によらず決定される条件であり、開催場条件及びその他の条件が、利用者の操作入力によって決定される条件であると説明した。しかしながら、時刻条件が利用者の操作入力によって決定される条件であってもよく、開催場条件及び／又はその他の条件が、利用者の操作入力によらずに決定される条件であってもよい。その他の条件は、その一部のみが利用者の入力操作によらずに決定される条件であってもよい。
【００８９】
また、上記実施形態では、開催場条件が必須の条件であり、その他の条件が任意の条件であると説明した。しかしながら、開催場条件が任意の条件であってもよく、その他の条件が必須の条件であってもよい。その他の条件は、その一部のみが必須の条件であってもよい。
【００９０】
出走表は、所定の言語のいずれかで生成されてもよい。例えば、上記実施形態において、出走表は、例えば、英語、韓国語、中国語（簡体字及び繁体字）等の複数の言語で出力可能に構成されており、利用者の選択に応じた言語で出力されてもよい。
【００９１】
上記実施形態において、端末装置２０の記憶部２２に記憶される番組情報は、適宜更新されてよい。例えば、投票の締切予定時刻が変更になった場合、記憶部２２に記憶された番組情報において、該当するレースの番組の投票の締切予定時刻を、最新の締切予定時刻に更新して記憶してよい。また、例えば、１人の選手が同日中に複数のレースに出場する場合、終了したレースの結果を反映させるように、記憶部２２に記憶された番組情報を更新してよい。また、例えば、選手のレースへの欠場が決定した場合、欠場する旨を反映させるように、記憶部２２に記憶された番組情報を更新してよい。また、選手が使用するモーター及び／又はボートが変更された場合、番組情報を、変更後の情報で更新してよい。番組情報の更新は、ここに記載した例に限られず、他の任意の変更された情報で更新することにより実行されてよい。このように番組情報を更新することにより、利用者が出走表を印刷するときに、最新の情報が反映された出走表が印刷される。
【符号の説明】
【００９２】
１  出走表生成システム
１０  情報処理装置
１１、２１、３１  制御部
１２、２２、３２  記憶部
１３、２３、３３  通信部
２０  端末装置
２４  表示部
２５  入力部
３０  印刷装置
３４  印刷処理部
４１  選択ボタン
４２  表示ボタン
４３  決定ボタン
１００  出走表
１０１  番号及び艇色情報
１０２  選手情報
１０３  勝率情報
１０４  モーター情報
１０５  ボート情報
１０６  成績情報
１０７  早見情報
２０１  開催場に関する情報
【図１】
2020107119.tif 000003
【図２】
2020107119.tif 000004
【図３】
2020107119.tif 000005
【図４】
2020107119.tif 000006
【図５】
2020107119.tif 000007
【図６】
2020107119.tif 000008